(57)【要約】  【課題】構造が簡単で、しかもモータのような電気的な駆動装置を全く使用しないですみ、かつ電気的制御を要しない、安価なティーアップ装置を実現する。  【解決手段】溝付きアームＡが下りスロープ状に転倒する状態と、ばね力で直立に戻された状態とに切り換え可能になっている。そして、前記の溝付きアームが転倒した状態で、ゴルフボール１個分の間隔をおいて、先端にストッパーＳを取付けてあるので、底板上を転動して来たゴルフボールがティーアップされる。しかも手動で載せる操作が不要となる。さらに、溝付きアームが転倒した状態では、ガイド筒１中を下って来たゴルフボールが溝付きアームＡ中に移動するのを阻止する手段を備えているので、確実に１個のゴルフボールをガイド筒１中から溝付きアームＡ中に移動させて、ティーアップできる。【選択図】図３
2013153905.tif 000002
【特許請求の範囲】
【請求項１】
踏板を押すことで、溝付きアームが下りスロープ状に転倒する状態と、ばね力で直立に戻された状態とに切り換え可能な構造になっていること、
溝付きアームが転倒した状態で、ゴルフボール１個分の間隔をおいて、先端にストッパーを取付けてあること、
溝付きアームが直立した状態で、ガイド筒中を下って来たゴルフボールが溝付きアーム中に移動可能に、ガイド筒側の溝付きアーム側壁に欠除部を設け、かつ溝付きアームが転倒した状態では、ガイド筒中を下って来たゴルフボールが溝付きアーム中に移動するのを阻止する手段を備えていることを特徴とするティーアップ装置。
【請求項２】
前記踏板はヒンジ手段で取付けられ、その先端と、溝付きアームとが連結レバーで連結されていることを特徴とする請求項１に記載のティーアップ装置。
【請求項３】
前記踏板の先端を引っ張りスプリングで引き上げており、前記引っ張りスプリングに抗して踏板を押し下げ、溝付きアームを倒した際に、前記溝付きアームの底板と前記ストッパーとの間にゴルフボールが来た際に当該ゴルフボールが載る位置にティーを設けてあることを特徴とする請求項１又は請求項２に記載のティーアップ装置。
【発明の詳細な説明】
【技術分野】
【０００１】
本発明は、ゴルフ練習場や自分専用の装置として、電力を利用しないで、簡単な操作のみでティーアップ操作を行える装置に関する。
【背景技術】
【０００２】
従来のティーアップ装置では、(1) 回収装置、ゴルフボール送給装置、ストック装置、送給路及びティーアップ装置本体が一組で非常に高価なものであり、これを既存の練習場に設置する際には、既存の回収装置、ゴルフボール送給装置及びストック装置を撤去せねばならず、大改装の必要があり、莫大な設備投資が必要になる、(2) マット下方でティー上にゴルフボールが載せられるため、故障した場合、マットを外して作業せねばならない、等の課題がある。
そこで、特許文献１のように、打席のマットの横に設置するゴルフボールの収容ボックスのボール出口に、該ボール出口からマットのティー出没孔までゴルフボールを送る送給路を連設し、該送給路にゴルフボールの順送り機構を設け、マットの下方に掘下げ形成された収容空間内に、マットに形成されたティー出没孔よりティー本体の先端を出没させる様に該ティー本体を上下動自在と成したティーアップ装置本体を設置することによって、各練習者がゴルフボールを各打席まで運んで収容ボックスに収容後、ティー本体を、その上にゴルフボールを載せた状態で自動的に突出させることが可能に成って、各打席へのゴルフボールの送給手段を不要にしている装置が提案されている。
しかも、マット下方に設置されるのはティーアップ装置本体だけで、残る収容ボックス及び送給路は床上に設置されるために、ゴルフボールは床上を移動することによって、玉詰まり等の修理を簡略化出来る様にして、前記（１）、（２）の課題を解決している。
【先行技術文献】
【特許文献】
【０００３】
【特許文献１】特開2001−276292
【発明の概要】
【発明が解決しようとする課題】
【０００４】
しかしながら、特許文献１のような従来のティーアップ装置は、  ゴルフボールの順送り機構やティー出没機構のため構造が複雑になり、またモータを使用するので、電力を全く使用しない構造とはならない。
本発明の技術的課題は、このような問題に着目し、構造が簡単で、しかもモータのような電気的な駆動装置を全く使用しないですみ、かつ電気的制御を要しない、安価なティーアップ装置を実現することにある。
【課題を解決するための手段】
【０００５】
請求項１は、踏板を押すことで、溝付きアームが下りスロープ状に転倒する状態と、ばね力で直立に戻された状態とに切り換え可能な構造になっているティーアップ装置である。前記の溝付きアームが転倒した状態で、ゴルフボール１個分の間隔をおいて、先端にストッパーを取付けてある。また、前記の溝付きアームが直立した状態で、ガイド筒中を下って来たゴルフボールが溝付きアーム中に移動可能に、ガイド筒側の溝付きアーム側壁に欠除部を設け、かつ溝付きアームが転倒した状態では、ガイド筒中を下って来たゴルフボールが溝付きアーム中に移動するのを阻止する手段を備えている。
【０００６】
請求項２は、前記踏板がヒンジ手段で取付けられ、その先端と、溝付きアームとが連結レバーで連結されていることを特徴とする請求項１に記載のティーアップ装置である。
【０００７】
請求項３は、前記踏板の先端を引っ張りスプリングで引き上げており、前記引っ張りスプリングに抗して踏板を押し下げ、溝付きアームを倒した際に、前記溝付きアームの底板と前記ストッパーとの間にゴルフボールが来た際に当該ゴルフボールが載る位置にティーを設けてあることを特徴とする請求項１又は請求項２に記載のティーアップ装置である。
【発明の効果】
【０００８】
請求項１のように、踏板を押すことで、溝付きアームが下りスロープ状に転倒する状態と、ばね力で直立に戻された状態とに切り換え可能な構造になっているので、踏板をクラブヘッドなどで押し下げて、溝付きアームを倒し、ゴルフボールをティーアップすることができ、しかも簡単な動作で足りる。
また、前記の溝付きアームが転倒した状態で、ゴルフボール１個分の間隔をおいて、先端にストッパーを取付けてあるので、底板上を転動して来たゴルフボールをティーアップさせる動作が確実となり、しかも手動で載せる操作が不要となる。
さらに、前記の溝付きアームが直立した状態で、ガイド筒中を下って来たゴルフボールが溝付きアーム中に移動可能に、ガイド筒側の溝付きアーム側壁に欠除部を設け、かつ溝付きアームが転倒した状態では、ガイド筒中を下って来たゴルフボールが溝付きアーム中に移動するのを阻止する手段を備えているので、確実に１個のゴルフボールをガイド筒中から溝付きアーム中に移動させて、ティーアップ動作できる。
【０００９】
請求項２のように、前記踏板がヒンジ手段で取付けられているので、当該ヒンジ手段を中心にして、前記踏板が上下動できる。また、前記踏板の先端と、溝付きアームとが連結レバーで連結されているので、通常は前記のばね力で溝付きアームが直立の状態に復帰し、カバー本体の中に隠れているのに対し、前記踏板を押し下げると、連結レバーを介して前記溝付きアームが転倒するので、その中のゴルフボールがティーアップされる。
【００１０】
請求項３のように、前記溝付きアームの底板上をゴルフボールが転がり、前記底板と前記ストッパーとの間の空間にゴルフボールが来た際に、当該ゴルフボールが載る位置にティーを設けてあるので、ゴルフボールはちょうどティーの真上に載り、ティーアップ装置として機能する。
なお、前記踏板の先端を引っ張りスプリングで引き上げており、前記引っ張りスプリングに抗して踏板をクラブヘッドなどで押し下げて、溝付きアームを倒した際に、前記のティーアップ動作が行われる。
【図面の簡単な説明】
【００１１】
【図１】本発明によるティーアップ装置の全容を示す斜視図である。
【図２】ティーにゴルフボールが載った瞬間を示す斜視図である。
【図３】図２の状態における溝付きアーム根元付近の状態を示す拡大斜視図である。
【図４】溝付きアームが直立した状態を示す正面方向の斜視図で、ジグザグ状の加振部も表現している。
【発明を実施するための形態】
【００１２】
次に本発明によるティーアップ装置が実際上どのように具体化されるか実施形態を詳述する。図１は本発明装置の全容を示す斜視図、図２はティーＴにゴルフボールＢが載った瞬間を示す斜視図、図３はその時の要部を示す拡大斜視図である。
ホッパーＨに多数入れられたゴルフボールＢはガイド筒１中を転動した後、傾斜下に設けた直角方向の溝付きアームＡ先端のストッパーＳにぶつかって、ティーＴに自動的にティーアップされる。したがって、溝付きアームＡは、図２のように、下りスロープ状に転倒した状態と、図４のように直立した状態に切り換え可能になっている。
【００１３】
そのために、溝付きアームＡの根元部はピンや軸２で、直立状態のカバー本体Ｃに回動可能に支持されている。溝付きアームＡは、ゴルフボールＢが下りスロープを自重でガイドされながら転動できるようにＵ溝やコ溝状になっており、ゴルフボールＢがティーＴの位置を通り過ぎないように、先端にストッパーＳをベルト状に取付けてある。すなわち、寸法的な余裕をもってゴルフボールＢを取り巻くように、帯板状のストッパー板Ｓの両端を溝付きアームＡの両側壁に連結してある。
従って、溝付きアームＡ中をガイドされながら転動して来たゴルフボールＢが、ストッパーＳに当たる位置に置いてあるティーＴの上に落下して載ることで、ティーアップされる。
【００１４】
図１や図２のように、踏板３のパッドＰをクラブヘッド５で押し下げることで、引っ張りスプリング６に抗して踏板３を押し下げると、その先端に連結された連結レバー７を介して溝付きアームＡを、ティーアップ可能に前下がりに倒す。
ティーアップ後に、クラブヘッド５を離すと、引っ張りスプリング６で踏板３先端が引き上げられるので、連結レバー７で溝付きアームＡの根元寄りが押されることで、溝付きアームＡ全体がカバー本体Ｃ中に収納され、かつ直立状態に起こされる。従って、溝付きアームＡの根元寄り部と連結レバー７との連結部が、溝付きアームＡ基端の回動支点２よりも、ストッパーＳ寄りに位置している。
【００１５】
このように、溝付きアームＡを直立状態に起こした際に、図３に示すように、ガイド筒１側の溝付きアーム側壁Ａ１を切除することで、ゴルフボールＢが１個だけ通過できるように、側壁を無くしてある。また、この欠除部を過ぎると、強化ストッパー９を設けてあるが、このストッパー９は、ガイド筒１中の多数のゴルフボールＢ…の大きな荷重を受けるので、強化する必要がある。
補強の方法は、溝付きアームＡの底板４をほぼ直角に折り曲げ、この折り曲げた底板にアングルの１辺１０を取付けた構造になっている。
【００１６】
なお、引っ張りスプリング６の上端はカバー本体Ｃに取付けてあり、踏板３の基端はヒンジ機構１１で装置ベース１２に取付けてあるが、前記引っ張りスプリング６に代えて、ばね力で踏板３を押し上げてもよい。
ティーＴは、人工芝などのマット１３に開けた丸穴に下から挿入し、ティーＴの基盤１４を地面との間に挟む構成になっている。
ティーＴの高さは例えば２ｃｍ、４ｃｍ、６ｃｍなどと色々有るが、最も低いティーＴの高さ例えば２ｃｍまで溝付きアームＡが転動可能にしておき、４ｃｍ、６ｃｍ等のときは４ｃｍ用、６ｃｍ用のスペーサを踏板３の下に挿入して、転動範囲を制限するだけで足りる。
【００１７】
ホッパーＨ中に多数のゴルフボールＢを投入するだけでは、ガイド筒１中に入るゴルフボールＢが引っ掛かる恐れが有る場合は、振動し易いようにするのがよい。
例えば、ジグザグ状の下り坂を設けて、ティーアップされるゴルフボールＢが転動する底板１５を圧縮コイルスプリング１６で支持し、本体と一体の支持板１７に支持してある。従って、圧縮コイルスプリング１６を介して浮いた状態の底板１５は、１個のゴルフボールＢが落下して当たるだけで振動する。なお、１８は側壁代わりのガイド壁で、両端が本体と一体に連結支持されている。
【００１８】
従って、図４のようにゴルフボールのガイド手段をジグザグ状に配置して、各ガイド手段の終端から下側のガイド手段の始端にゴルフボールＢが１個ずつ落下する構造にすると、落下の際の振動で、引っ掛かりが解除される。この場合、１回で購入したゴルフボールＢの全部を、ジグザグ状のガイドに収納する必要がある。すると、１個のゴルフボールＢがガイド筒１から溝付きアームＡに移動して、ガイド筒１中の最後端にゴルフボール１個分の空きが出来る度に、上側のガイド手段から１個のゴルフボールＢが落下して来て衝撃を加え、振動させることになる。
ガイド筒１も底部のみ前後両端を切り離して、圧縮コイルスプリング１６の上で振動可能に配設すれば、ゴルフボールの引っ掛かりをより確実に防止できる。なお、弾性手段はゴムなどを敷く構成も可能である。
【産業上の利用可能性】
【００１９】
以上のように、本発明によると、モータのような電気的な駆動手段を全く使用しないで、かつ電気的制御を要すること無しに、安価で簡単な構造によってティーアップ動作を実現できるので、ティーアップ装置の普及が期待される。
【符号の説明】
【００２０】
Ｔ  ティー
Ｂ  ゴルフボール
Ｈ  ホッパー
１  ガイド筒
Ａ  溝付きアーム
Ａ1   ガイド筒側の側壁
Ｓ  ストッパー板
３  踏板
Ｐ  パッド
４  底板  
５  クラブヘッド
６  引っ張りコイルスプリング
７  連結レバー
10  アングルの１辺
13  マット
14  基盤
【図１】
2013153905.tif 000003
【図２】
2013153905.tif 000004
【図３】
2013153905.tif 000005
【図４】
2013153905.tif 000006